(57)【要約】      （修正有）【課題】補聴器のサイズで決まる空間的制限等の設計的制約に対して良好な通信を得る聴覚機器用無線アンテナを提供する。【解決手段】アンテナ構造１０を備える聴覚機器１２０は、音声の受信及び受信した音声の変換のためのマイクロフォンと、受信した音声をユーザの聴力損失を補う音声信号に処理する信号プロセッサと、信号プロセッサに接続されたスピーカと、無線通信のために信号プロセッサに接続され、電磁場の放射及び受信のためにアンテナ構造１０と相互接続される無線通信ユニット２０とを備える。アンテナ構造１０は、第１の端部２１及び第２の端部２３を有するアンテナ素子２４を備える。第１の端部は、アンテナ構造の給電部に接続され、制御可能なコンポーネント３６がアンテナ素子２４と直列に設けられる。制御可能なコンポーネントは、アンテナ構造の１又は複数の特性を変更する。【選択図】図２
2019134412.tif 000002
【特許請求の範囲】
【請求項１】
聴覚機器であって、
音声の受信及び受信した前記音声の対応する第１の音声信号への変換のためのマイクロフォンと、
前記第１の音声信号を、前記聴覚機器のユーザの聴力損失を補う第２の音声信号に処理する信号プロセッサと、
前記第２の音声信号を出力音声信号に変換するために前記信号プロセッサの出力に接続されているスピーカと、
無線通信のために前記信号プロセッサに接続され、電磁場の放射及び受信のためにアンテナ構造と相互接続される無線通信ユニットと、を備え、
前記アンテナ構造は、第１の端部及び第２の端部を有するアンテナ素子を備え、
前記第１の端部は、前記アンテナ構造の給電部に接続され、
制御可能なコンポーネントが、前記アンテナ素子と直列に設けられ、
前記制御可能なコンポーネントは、前記アンテナ構造の１又は複数の特性を変更するように構成される、
聴覚機器。
【請求項２】
前記制御可能なコンポーネントは、前記アンテナ素子の前記第１の端部と前記アンテナ素子の前記第２の端部との間に設けられるか、又は、前記制御可能なコンポーネントは、前記アンテナ素子の前記第２の端部と前記アンテナへの接地接続との間に設けられる、請求項１に記載の聴覚機器。
【請求項３】
前記アンテナ構造は、電気機械的アンテナ構造であり、
前記制御可能なコンポーネントは、前記アンテナ構造の１又は複数の電気機械的特性を変更するように構成される、請求項１又は２に記載の聴覚機器。
【請求項４】
前記アンテナ構造の特性が変化したときに、前記アンテナ素子に沿った電流分布及び／又は前記アンテナ構造の周波数応答が変化する、請求項１〜３のいずれか一項に記載の聴覚機器。
【請求項５】
前記制御可能なコンポーネントは、レジスタ、キャパシタ、インダクタ、ダイオード及びトランジスタの群から選択される１又は複数の調整可能なコンポーネントを含む、請求項１〜４のいずれか一項に記載の聴覚機器。
【請求項６】
前記制御可能なコンポーネントは、デジタル調整可能なキャパシタのような調整可能なキャパシタである、前記制御可能なコンポーネントは、デジタル調整可能なインダクタのような調整可能なインダクタである、及び／又は、前記制御可能なコンポーネントは、１又は複数の調整可能な又は静的なコンポーネントに接続可能な、単極双投電気スイッチのようなスイッチングデバイスを備える、請求項１〜５のいずれか一項に記載の聴覚機器。
【請求項７】
前記アンテナ素子は、共振アンテナ素子である、請求項１〜６のいずれか一項に記載の聴覚機器。
【請求項８】
前記アンテナ素子は、全波長アンテナ素子であり、
前記第１の端部は、前記給電部に接続され、
前記第２の端部は、前記制御可能なコンポーネントを介して接地電位に接続される、請求項１〜７のいずれか一項に記載の聴覚機器。
【請求項９】
前記制御可能なコンポーネントは、前記第２の端部に近接して設けられる、請求項１〜８のいずれか一項に記載の聴覚機器。
【請求項１０】
前記アンテナ素子は、前記聴覚機器の第１の面及び前記聴覚機器の第２の面に設けられ、
前記聴覚機器の前記第１の面は、前記聴覚機器がユーザの耳の動作位置に装着されたときに前記ユーザの頭部表面に隣接し、
前記聴覚機器の前記第２の面は、前記第１の面の反対側にあり、
前記アンテナ素子の少なくとも一部は、前記聴覚機器の前記第１の面から前記聴覚機器の前記第２の面まで延びる、請求項１〜９のいずれか一項に記載の聴覚機器。
【請求項１１】
前記アンテナ素子は、使用中に、前記第１の面から前記第２の面まで延びる前記アンテナ素子の部分に最大電流が流れるように構成される、請求項１０に記載の聴覚機器。
【請求項１２】
前記聴覚機器は、受信信号品質を評価し、前記受信信号品質の前記評価に応じて前記制御可能なコンポーネントに制御信号を供給するプロセッサを備える、請求項１〜１１のいずれか一項に記載の聴覚機器。
【請求項１３】
前記制御可能なコンポーネントは、前記制御信号に応じて調整されるように構成され、及び／又は、前記制御可能なコンポーネントのパラメータは、前記制御信号に応じて調整されるように構成される、請求項１２に記載の聴覚機器。
【請求項１４】
前記聴覚機器は、その意図された動作位置に設けられたときに前記ユーザの耳の後ろに配置されるように構成された少なくとも１つのＢＴＥ（Ｂｅｈｉｎｄ−Ｔｈｅ−Ｅａｒ）型モジュールを含み、
前記ＢＴＥ型モジュールは、少なくとも前記信号プロセッサと前記アンテナ素子とを備える、請求項１〜１３のいずれか一項に記載の聴覚機器。
【請求項１５】
前記聴覚機器は、その意図された動作位置に設けられたときに前記ユーザの耳の中に配置されるように構成された少なくとも１つのＩＴＥ（Ｉｎ−Ｔｈｅ−Ｅａｒ）型モジュールを含み、
前記ＩＴＥ型モジュールは、少なくとも前記信号プロセッサと前記アンテナ素子とを備える、請求項１〜１３のいずれか一項に記載の聴覚機器。
【請求項１６】
聴覚機器を動作させる方法であって、
前記聴覚機器は、
音声の受信及び受信した前記音声の対応する第１の音声信号への変換のためのマイクロフォンと、
前記第１の音声信号を、前記聴覚機器のユーザの聴力損失を補う第２の音声信号に処理する信号プロセッサと、
前記第２の音声信号を出力音声信号に変換するために前記信号プロセッサの出力に接続されているスピーカと、
無線データ通信のために前記信号プロセッサに接続され、電磁場の放射及び受信のためにアンテナ構造と相互接続される無線通信ユニットと、を備え、
前記アンテナ構造は、第１の端部及び第２の端部を有するアンテナ素子を備え、
前記第１の端部は、前記アンテナ構造の給電部に接続され、
制御可能なコンポーネントが、前記アンテナ素子と直列に設けられており、
前記方法は、
−  データ通信信号を受信することと、
−  受信した前記データ通信信号の信号品質を決定し、決定された前記信号品質に応じて前記制御可能なコンポーネントに制御信号を供給することと、
−  前記制御信号に応じて前記アンテナ構造の特性を変更するために、前記制御可能なコンポーネントを制御することと、
を含む方法。
【発明の詳細な説明】
【技術分野】
【０００１】
本開示は、聴覚機器、例えば、ユーザの聴力損失を補う聴覚機器、特に、無線通信機能を有する聴覚機器、したがって、通信用アンテナを備える聴覚機器、特に、調整可能な、例えばデジタル調整可能なアンテナを有する聴覚機器に関する。
【背景技術】
【０００２】
近年、聴覚機器はますます、リモコン、スパウスマイクロフォン、その他聴覚機器を含む周囲と、最近ではスマートフォン及びその他外部電子機器と直接に、通信できるようになっている。
【０００３】
聴覚機器は、非常に小型で繊細なデバイスで、上記要求を満たすためのものであり、聴覚機器は、ヒトの外耳道又は外耳の後ろにフィットする十分小さいハウジング内に収容される多くの電子部品及び金属部品を備える必要がある。小型の聴覚機器ハウジングと組み合わせた多くの電子部品及び金属部品は、無線通信機能を有する聴覚機器に使用される無線周波数アンテナに高い設計上の制約を課す。
【０００４】
したがって、聴覚機器におけるアンテナ、典型的には無線周波数アンテナは、補聴器のサイズによって課される空間的制限及びその他の設計的制約にもかかわらず、あらゆる環境において、またできるだけ広い周波数帯域であらゆるサイズ及び形状の頭部、耳及び毛髪に対して良好な通信を得るための幅広いデバイスとの接続性を達成するように設計されなければならない。
【０００５】
いくつかのアンテナ構造では、アンテナ構造の共振周波数を変更するために、キャパシタンス又はインダクタンスの形態のアンテナ短縮／延長コンポーネントが使用される。
【０００６】
いくつかのアンテナ構造では、伝送線での最大電力伝送を達成するためにインピーダンス整合が実施され、ラインインピーダンスは、無線機及びアンテナの両方に整合するように構成される。
【発明の概要】
【課題を解決するための手段】
【０００７】
本開示の目的は、上述の不都合の少なくとも一部を克服することであり、さらなる目的は、無線通信機能が向上した聴覚機器を提供することである。
【０００８】
第１の態様によると、音声の受信及び受信した音声の対応する第１の音声信号への変換のためのマイクロフォンを備えた聴覚機器が提供される。聴覚機器は、第１の音声信号を、例えば聴覚機器のユーザの聴力損失を補う第２の音声信号に処理する第１の信号プロセッサと、第２の音声信号を出力音声信号に変換するために信号プロセッサの出力に接続されているスピーカと、無線通信のために信号プロセッサに接続された無線通信ユニットとを備える。無線通信ユニットは、電磁場の放射及び受信のためにアンテナ構造と相互接続され、アンテナ構造は、第１の端部及び第２の端部を有するアンテナ素子を備え、第１の端部は、アンテナ構造の給電部に接続されている。制御可能なコンポーネントが、アンテナ素子と直列に設けられてもよく、制御可能なコンポーネントは、アンテナ構造の特性を変更するように構成される。
【０００９】
第２の態様によると、音声の受信及び受信した音声の対応する第１の音声信号への変換のためのマイクロフォンと、第１の音声信号を、聴覚機器のユーザの聴力損失を補う第２の音声信号に処理する信号プロセッサと、第２の音声信号を出力音声信号に変換するために信号プロセッサの出力に接続されているスピーカと、無線データ通信のために信号プロセッサに接続され、電磁場の放射及び受信のためにアンテナと相互接続される無線通信ユニットと、第１の端部及び第２の端部を有するアンテナ素子を備え、第１の端部がアンテナ構造の給電部に接続されているアンテナ構造と、を備える聴覚機器を動作させる方法が提供される。制御可能なコンポーネントが設けられ、アンテナ素子と直列に設けられてもよい。本方法は、データ通信信号を受信することと、受信したデータ通信信号の信号強度を決定し、決定された信号強度に応じて制御可能なコンポーネントに制御信号を供給することと、制御信号に応じてアンテナ構造の特性を変更するために制御可能なコンポーネントを制御することと、を含む。
【００１０】
制御可能なコンポーネントは、デジタル制御可能なコンポーネントであってよく、アンテナ構造は、デジタル調整可能なアンテナ構造であってよい。
【００１１】
いくつかの実施形態では、制御可能なコンポーネントは、アンテナ素子の第１の端部とアンテナ素子の第２の端部との間に設けられるか、又は、制御可能なコンポーネントは、アンテナ素子の第２の端部とアンテナへの接地接続との間に設けられてもよい。
【００１２】
アンテナ素子の第１の端部は、アンテナ端子であってよい。
【００１３】
無線通信ユニットは、無線データ通信を含む無線通信用に構成され、これに関連して電磁場の放射及び受信のためにアンテナと相互接続される。無線通信ユニットは、トランスミッタ、レシーバ、トランシーバ等の送受信機ペア、無線ユニット等を含んでもよい。無線通信ユニットは、Ｂｌｕｅｔｏｏｔｈ（登録商標）  Ｌｏｗ  Ｅｎｅｒｇｙ、Ｂｌｕｅｔｏｏｔｈ  Ｓｍａｒｔ等を含むＢｌｕｅｔｏｏｔｈ、ＷＬＡＮ標準規格、オーダーメイド近接アンテナプロトコルのような製造業者特有のプロトコル、例えば、プロプラエタリプロトコル、低電力無線通信プロトコル、ＣＳＲメッシュ等を含む、当業者に公知の任意のプロトコルを使用して通信用に構成されてよい。
【００１４】
いくつかの実施形態では、アンテナ構造は、電気機械的アンテナ構造であり、制御可能なコンポーネントは、アンテナ構造の１又は複数の電気機械的特性を変更するように構成されてもよい。アンテナの電気機械的特性は、アンテナインピーダンス、アンテナの電気長、放射パターン、放射効率、アンテナの偏波電気長等を含む。
【００１５】
いくつかの実施形態では、アンテナ構造の特性は、アンテナ構造の最適化された性能に合わせてデジタル調整される。これによって、アンテナ構造は、所与の環境において又は所与の状況下でアンテナの性能を最適化するようにデジタル調整されてもよい。
【００１６】
いくつかの実施形態では、アンテナ構造の特性が変化したときに、アンテナ素子に沿った電流分布及び／又はアンテナ構造の周波数応答が変化してもよい。
【００１７】
制御可能なコンポーネントは、レジスタ、キャパシタ、インダクタ、ダイオード及びトランジスタの群から選択される１又は複数の調整可能なコンポーネントを含んでもよい。制御可能なコンポーネントは、デジタル調整可能なキャパシタのような調整可能なキャパシタであってよい。制御可能なコンポーネントは、デジタル調整可能なインダクタのような調整可能なインダクタであってよい。制御可能なコンポーネントは、単極双投電気スイッチ、例えば、ＳＰＤＴ、ＳＰ３Ｔ又はＳＰ４Ｔ等のスイッチングデバイスを含み、３つ、４つ等の調整可能な又は静的なコンポーネントへの接続を可能にする。いくつかの実施形態では、制御可能なコンポーネントは、単極双投電気スイッチ、例えば、ＳＰＤＴ、ＳＰ３Ｔ又はＳＰ４Ｔ等のスイッチングデバイスを備えてもよく、電気スイッチは、３つ、４つ等の調整可能な又は静的なコンポーネントへの接続を可能にし、静的なコンポーネントは、レジスタ、キャパシタ、ダイオード及びトランジスタの群から選択される。静的なコンポーネントは通常固定値を有する。
【００１８】
いくつかの実施形態では、制御可能なコンポーネントのパラメータは、制御信号に応じて調整されるように構成される。例えば、レジスタの抵抗を調整してもよく、キャパシタの静電容量を調整してもよく、インダクタのインダクタンスを調整してもよく、異なるコンポーネント、例えば異なる種類のコンポーネントや異なるパラメータ値のコンポーネントに接続するためにスイッチのスイッチ位置を調整してもよい。したがって、ダイオード及びトランジスタのＤＣ電圧も調整してもよい。
【００１９】
いくつかの実施形態では、制御可能なコンポーネントは、所定数のパラメータ値等の所定数の設定を有してもよい。制御可能なコンポーネントは、制御信号の受信に応じて、所定数の設定の間で、したがって所定数のパラメータ値の間で切り替えるように構成されてもよい。例えば、制御信号は、所定数のパラメータ設定のどれを使用すべきかを示してもよい。いくつかの実施形態では、所定のパラメータ設定のそれぞれは、特定のチャネルに割り当てられる。
【００２０】
いくつかの実施形態では、制御可能なコンポーネントは、連続的な方法で調整されてもよいため、パラメータ値の連続的な調整を可能にする。
【００２１】
第２の信号プロセッサ等の聴覚機器のプロセッサ、及び／又は無線通信ユニットは、受信信号品質インジケータを備えてもよい。いくつかの実施形態において、第２のプロセッサ及び／又は無線通信ユニットは、受信信号品質及び制御可能なコンポーネントの設定に関する履歴データを格納する。
【００２２】
いくつかの実施形態では、制御可能なコンポーネントは、聴覚機器のフィッティング手順中、例えば、聴覚学的フィッティング手順中にアンテナ構造の１又は複数の特性を変更するように構成される。
【００２３】
いくつかの実施形態では、制御可能なコンポーネントは、聴覚機器の較正中、例えば、聴覚学的較正手順中や製造後較正手順中、製造後工場較正手順中にアンテナ構造の１又は複数の特性を変更するように構成される。
【００２４】
いくつかの実施形態では、第１の聴覚機器及び第２の聴覚機器はバイノーラル聴覚機器の一部を形成する。第１の聴覚機器及び第２の聴覚機器は互いに対して較正されてもよい。いくつかの実施形態では、第１の聴覚機器の制御可能なコンポーネントは、第２の聴覚機器から受信した信号に対して調整される。いくつかの実施形態では、さらに、第２の聴覚機器の制御可能なコンポーネントは、第１の聴覚機器から受信した信号に対して調整される。
【００２５】
アンテナ構造は、第１の端部及び第２の端部を有するアンテナ素子を備え、第１の端部はアンテナ構造の給電部に接続されている。
【００２６】
アンテナ素子の第２の端部は開放端部であってもよい。アンテナ素子の第２の端部は無線通信ユニットに接続されてもよい。アンテナ素子の第２の端部は接地、例えば、接地電位に接続されてもよい。
【００２７】
いくつかの実施形態では、アンテナ素子は共振アンテナ素子である。
【００２８】
いくつかの実施形態では、アンテナ素子は全波長アンテナ素子である。いくつかの実施形態では、アンテナ素子は１／４波長アンテナ素子である。
【００２９】
いくつかの実施形態では、アンテナ素子の第１の端部は、アンテナ構造の給電部に接続され、アンテナ素子の第２の端部は、制御可能なコンポーネントを介して接地電位に接続される。
【００３０】
いくつかの実施形態では、アンテナ素子の第１の端部は、アンテナ構造の給電部に接続され、アンテナ素子の第２の端部は、開放端部であり、制御可能なコンポーネントは、第１の端部と開放端部との間に設けられる。
【００３１】
いくつかの実施形態では、アンテナ素子の第１の端部は、アンテナ構造の給電部に接続され、アンテナ素子の第２の端部は、制御可能なコンポーネントを介して接地電位に接続される。
【００３２】
いくつかの実施例では、制御可能なコンポーネントは、聴覚機器内に配置された支持基板、例えば、聴覚機器内に配置されたプリント回路基板に設置された制御可能なコンポーネントとして提供される。
【００３３】
アンテナ素子は、アンテナ素子の第２の端部及びアンテナ端子を介して制御可能コンポーネント及び接地に接続してもよい。
【００３４】
アンテナ構造のための接地は、プリント回路基板等の支持基板であってもよい。伝送線は、制御可能なコンポーネントを介してアンテナ端子を接地に接続してもよい。
【００３５】
いくつかの実施形態では、制御可能なコンポーネントはアンテナ素子の第２の端部に近接して設けられる。したがって、制御可能なコンポーネントは、アンテナ素子の第１の端部と第２の端部との間の距離の２５％以下の距離、アンテナ素子の第１の端部と第２の端部との間の距離の１０％以下の距離等、第２の端部からある距離内に設けられてよい。いくつかの実施形態では、制御可能なコンポーネントは、アンテナ構造によって放射及び受信される電磁場の０．１波長以下の距離、０．０５波長以下の距離等、第２の端部からある距離内に設けられる。
【００３６】
聴覚機器は、聴覚機器のユーザの聴力損失を補う任意の聴覚機器又はユーザに音声を提供する聴覚機器等の任意の聴覚機器であってよい。
【００３７】
いくつかの実施形態では、聴覚機器は、１又は複数の聴覚機器ハウジングモジュールを含む。聴覚機器は、その意図された動作位置に設けられたときにユーザの耳の後ろに配置されるように構成された少なくとも１つのＢＴＥ（Ｂｅｈｉｎｄ−Ｔｈｅ−Ｅａｒ）型モジュールを含んでよい。ＢＴＥ型モジュールは、少なくとも第１の信号プロセッサとアンテナ素子とを備える。従来、ＢＴＥ型モジュールは、少なくとも第１の信号プロセッサと、無線通信ユニットと、いくつかの実施形態では少なくとも１つのアンテナ素子と、を備える。聴覚機器バッテリも、典型的には、ＢＴＥ型モジュールに設けられる。
【００３８】
いくつかの実施形態では、ＢＴＥ型モジュール、ＩＴＥ（Ｉｎ−Ｔｈｅ−Ｅａｒ）型モジュール、及び２つのモジュール間の接続、例えばチューブモジュールを有する聴覚機器が提供されてもよい。典型的には、聴覚機器のコンポーネントはモジュール間に分散されていてもよい。多くの聴覚機器では、レシーバがＩＴＥ型モジュールに配置されている。
【００３９】
いくつかの実施形態では、聴覚機器は少なくとも１つのＩＴＥ型モジュール又はＣＩＣ（Ｃｏｍｐｌｅｔｅｌｙ−Ｉｎ−ｔｈｅ−Ｃａｎａｌ）型モジュールを含む。少なくとも１つのＩＴＥ型モジュール又はＣＩＣ型モジュールは、その意図された動作位置に設けられたときにユーザの耳の中に配置されるように構成される。ＩＴＥ型モジュールは、少なくとも第１の信号プロセッサとアンテナ素子とを備える。
【００４０】
聴覚機器は、聴覚機器がユーザの耳の中に設けられているＩＴＥ型又はＣＩＣ型の聴覚機器であってよい。したがって、いくつかの実施形態では、ＩＴＥ型モジュールは、プロセッサ、無線通信ユニット、バッテリ、マイクロフォン及びスピーカ等を含む聴覚機器コンポーネントを含む。
【００４１】
上述したように、モジュールの任意の組み合わせを想定してもよく、種々の聴覚機器コンポーネントが異なるモジュールに収容されてもよいことが強調される。
【００４２】
アンテナ素子は、好ましくは、聴覚機器内に収容され、例えば聴覚機器ハウジングモジュール内に収容され、例えばＢＴＥ型モジュール内に収容され、例えばＩＴＥ型モジュール等に収容される。いくつかの実施形態では、アンテナ素子は、例えば、ＢＴＥ型モジュールとＩＴＥ型モジュールとを相互接続するチューブモジュール内に延びてもよい。
【００４３】
アンテナ素子は、聴覚機器の第１の面及び聴覚機器の第２の面に、例えば聴覚機器ハウジングモジュールの第１の面及び聴覚機器ハウジングモジュールの第２の面に、例えばＢＴＥ型モジュールの第１の面及びＢＴＥ型モジュールの第２の面に、例えばＩＴＥ型モジュールの第１の面及びＩＴＥ型モジュールの第２の面に設けられてよい。
【００４４】
いくつかの実施形態では、聴覚機器ハウジングモジュールの第１の面などの聴覚機器の第１の面は、聴覚機器がユーザの耳の動作位置に装着されたときにユーザの頭部表面に隣接し、聴覚機器ハウジングモジュールの第２の面などの聴覚機器の第２の面は、第１の面の反対側にある。
【００４５】
いくつかの実施形態では、アンテナ素子の少なくとも一部は、聴覚機器の第１の面から聴覚機器の第２の面まで、例えば、聴覚機器ハウジングモジュールの第１の面から聴覚機器ハウジングモジュールの第２の面まで延びる。
【００４６】
アンテナ素子は、使用中に、第１の面から第２の面まで延びるアンテナ素子の部分に最大電流が流れるように構成されてもよい。
【００４７】
いくつかの実施形態では、聴覚機器の第１の面から聴覚機器の第２の面まで延びるアンテナ素子の部分は、聴覚機器がその意図された動作位置にあるときに、頭部の側面に非平行な方向に延びる。いくつかの実施形態では、聴覚機器の第１の面から聴覚機器の第２の面まで延びるアンテナ素子の部分は、聴覚機器がその意図された動作位置にあるときに、ユーザの頭部から遠ざかる方向に、例えば、頭部の側面に対して９０±３０°等の垂直な方向に延びる。
【００４８】
いくつかの実施形態では、聴覚機器は、受信信号強度を評価し、受信信号強度の評価に応じて制御可能なコンポーネントに制御信号を供給する第２の信号プロセッサを備える。
【００４９】
第２の信号プロセッサは、第１の音声信号を、例えば聴覚機器のユーザの聴力損失を補う第２の音声信号に処理するように構成された第１の信号プロセッサの一部を形成してもよい。或いは、第２の信号プロセッサは、別個の信号プロセッサであってよい。
【００５０】
いくつかの実施形態では、第２の信号プロセッサは、アンテナ構造を介して受信した信号の強度を評価する。受信信号は、スパウスマイクロフォン、リモコン等の聴覚機器用アクセサリデバイス等の外部デバイスから受信した信号であってもよい。受信信号は、携帯電話、タブレット、コンピュータ、インテリジェントウェアラブル等の任意の外部デバイス、又は家電製品若しくは公的情報デバイス等の外部デバイスから受信した信号であってもよい。信号は、外部デバイスからの、例えばバイノーラル聴覚機器の第２の聴覚機器からの信号であってもよい。
【００５１】
受信信号の品質は、例えば受信信号品質の表示の提供によって、無線通信ユニットと任意の外部デバイスとの間のリンクの性能及び／又は信頼性を推定するための任意の公知の方法によって評価されてよい。
【００５２】
いくつかの実施形態では、受信信号品質は、受信信号の電力に基づいて評価される。電力レベルは電力の相対的指標として示されてもよく、及び／又は、電力レベルはｄＢｍで示されてもよい。したがって、信号品質は受信信号強度ＲＳＳの測定値に基づいてもよく、又は、信号品質は受信信号強度インジケータＲＳＳＩに基づいてもよい。
【００５３】
いくつかの実施形態では、受信信号品質は、信号中のビットエラー数等のビットエラーファクタに基づいて評価される。いくつかの実施形態では、受信信号品質は、パケットエラー率に基づいて評価されてもよい。
【００５４】
いくつかの実施形態では、受信信号品質は、ビットエラー率、パケットエラー率、又は受信信号強度測定値に基づいて評価される。
【００５５】
いくつかの実施形態では、制御信号は、受信信号品質の評価に応じて制御可能なコンポーネントに供給される。制御可能なコンポーネントは、制御信号に応じて調整されるように構成される。
【００５６】
これにより、制御可能なコンポーネントは、制御信号に応じて、したがって受信信号品質の評価に応じて、アンテナ構造の１又は複数の特性を変更することができる。アンテナ構造の１又は複数の特性は、受信信号品質を変えるために変更されてよい。特に、アンテナ構造の特性は、信号強度品質を改善するために変更されてよい。
【００５７】
いくつかの実施形態では、制御可能なコンポーネントの最初の調整の後に受信信号品質を再評価するためにフィードバックが提供される。したがって、受信信号品質の複数回の評価を実行して、複数の制御信号を順次生成してもよく、各制御信号に続いて制御信号に応じた制御可能なコンポーネントの対応する調整が行われることが想定される。
【００５８】
以下、実施形態は、主として補聴器等の聴覚機器を参照して説明される。補聴器は、バイノーラル補聴器であってもよい。しかしながら、任意の一態様に関連して記載された任意の実施形態又は要素は、必要な変更を加えて、他の任意の態様又は実施形態と共に用いられてもよいことが想定される。
【図面の簡単な説明】
【００５９】
本発明の上記及び他の特徴及び利点は、添付の図面を参照しながら、例示的実施形態の以下の詳細な説明により当業者には容易に明らかとなるであろう。
【００６０】
【図１】本開示による例示的な聴覚機器のブロック図を示す。
【図２】本開示によるアンテナを備えた聴覚機器を概略的に示す。
【図３】本開示によるアンテナを備えた聴覚機器を概略的に示す。
【図４ａ】本開示によるアンテナ構造を概略的に示す。
【図４ｂ】本開示によるアンテナ構造を概略的に示す。
【図４ｃ】本開示によるアンテナ構造を概略的に示す。
【図５】本開示の一実施形態による、アンテナ構造を備えたＢＴＥ型聴覚機器を示す。
【図６】本開示の別の実施形態による、アンテナ構造を備えたＩＴＥ型聴覚機器を示す。
【図７】本開示の別の実施形態による、アンテナ構造を備えたＢＴＥ型聴覚機器を示す。
【図８】本開示による制御可能な素子を制御する方法を示すフローチャートである。
【発明を実施するための形態】
【００６１】
しかしながら、特許請求の範囲に記載された発明は異なる形態で実施してもよく、また本明細書で記載される実施形態に限定されるものとして解釈されるべきではない。
【００６２】
典型的な（従来技術の）聴覚機器１１０のブロック図が図１に示されている。聴覚機器１１０は、入ってくる音声を受信し、それを音声信号、すなわち第１の音声信号に変換するための第１のトランスデューサ、すなわちマイクロフォン４を備える。第１の音声信号は、第１の音声信号を補聴器のユーザの聴力損失を補う第２の音声信号に処理する信号プロセッサ９に供給される。レシーバ６は、第２の音声信号を出力音声信号、例えばユーザの聴覚障害を補うように変調された信号に変換する信号プロセッサ９の出力に接続され、出力音声をレシーバ６に提供する。典型的には、レシーバ６はトランスデューサを備え、レシーバはスピーカと称してもよい。
【００６３】
したがって、聴覚機器の信号プロセッサ９は、増幅器、圧縮器及びノイズ除去システム等の素子を備える。聴覚機器又は補聴器はさらに、出力信号を最適化するためのフィルタ機能、例えば、補正フィルタ１２を有してもよい。補聴器は、電磁場の放射及び受信のためにアンテナ構造１０と相互接続される、無線データ通信のための無線通信ユニット８をさらに有してもよい。無線機又はトランシーバ等の無線通信ユニット８は、外部デバイス、又は典型的にはバイノーラル聴覚機器システムにおける他方の耳に配置された他方の聴覚機器等の別の聴覚機器と通信するために聴覚機器の信号プロセッサ９及びアンテナ構造１０に接続される。聴覚機器１１０は、バッテリ等の電源１１をさらに備える。
【００６４】
聴覚機器は、ＢＴＥ型聴覚機器であってもよく、ＢＴＥ型モジュールとして提供されてもよく、聴覚機器は、ＩＴＥ型モジュールであってもよく、ＩＴＥ型モジュールとして提供されてもよい。或いは、聴覚機器の一部は、ＢＴＥ型モジュールに設けられてもよいが、レシーバ６等の他の部分はＩＴＥ型モジュールに設けられてもよい。
【００６５】
図２及び図３は、本開示による、電磁場の放射及び受信のためのアンテナ構造１０を備えた聴覚機器を概略的に示す。
【００６６】
図２では、無線通信ユニット２０は、プリント回路基板２２、又は聴覚機器内で無線通信ユニット２０を支持するための同様の構造に設けられる。無線通信ユニット２０は、伝送線３２を介して第１のアンテナ端子２８に接続される。第２のアンテナ端子３０は、伝送線３４を介して制御可能なコンポーネント３６を通して接地３８と相互接続される。アンテナ構造１０は、第１の端部２１及び第２の端部２３を有するアンテナ素子２４を備え、第１の端部２１は、第１のアンテナ端子２８においてアンテナ構造の給電部に接続され、アンテナ素子２４の第２の端部２３は第２のアンテナ端子３０に接続される。アンテナ構造１０はさらに、アンテナ素子２４と直列に設けられた制御可能なコンポーネント３６を備える。制御可能なコンポーネント３６は、プリント回路基板２２に設置され、プリント回路基板２２に設けられた接地３８に接続される。アンテナ素子２４の長さは、アンテナ構造１０によって放射及び受信されるべき電磁場の全波長である。
【００６７】
図３では、制御可能なコンポーネントの代替位置が示されている。無線通信ユニット２０は、プリント回路基板２２、又は聴覚機器内で無線通信ユニット２０を支持するための同様の構造に設けられる。無線通信ユニット２０は、伝送線３２を介して第１のアンテナ端子２８に接続される。第２のアンテナ端子３０は、無線通信ユニット２０と相互接続されるか、或いは伝送線３４を介してプリント回路基板の接地に接続される。アンテナ構造１０は、第１の端部２１及び第２の端部２３を有するアンテナ素子２４を備え、第１の端部２１は、第１のアンテナ端子２８においてアンテナ構造の給電部に接続され、アンテナ素子２４の第２の端部２３は第２のアンテナ端子３０に接続される。アンテナ構造１０はさらに、制御可能なコンポーネント３６を備え、制御可能なコンポーネントは、アンテナ素子２４の第１の端部２１と第２の端部２３との間のアンテナ素子２４と直列に設けられる。いくつかの実施形態では、制御可能なコンポーネント３６はアンテナ素子２４の第２の端部２３に近接して設けられる。アンテナ素子２４は、第２のアンテナ端子３０及び伝送線３４を介して無線通信ユニットに接続される。アンテナ素子２４の長さは、アンテナ構造１０によって放射及び受信されるべき電磁場の全波長である。いくつかの実施形態では、アンテナ素子２４の第２の端部２３は自由端部であってよく、アンテナ素子２４の長さは、波長の１／４、例えば、波長の約１／４であってよいことが想定される。
【００６８】
図２及び図３の両方では、制御可能なコンポーネント３６は、アンテナ構造１０の１又は複数の特性を変更するように構成される。ハードウェアプロセッサ３５等のプロセッサ３５は、制御信号３７を制御可能なコンポーネント３６に供給する。プロセッサ３５は無線通信ユニット２０に接続され、受信信号品質を評価し、受信信号品質の評価に応じて制御可能なコンポーネントに制御信号３７を供給するように構成される。受信信号品質は、ビットエラー率、パケットエラー率、又は入力若しくは受信信号の受信信号強度測定値に基づく評価の使用を含む、当業者に公知の任意の方法で評価してもよいことが強調されるべきである。
【００６９】
制御可能なコンポーネント３６は、制御信号３７に応じて調整されるように構成され、例えば、制御可能なコンポーネント３６のパラメータは、制御信号に応じて調整されてもよい。
【００７０】
図４ａ〜図４ｃは、本開示によるアンテナ構造を概略的に示す。
【００７１】
図４ａでは、図２のアンテナ構造に対応するアンテナ構造が示されている。アンテナ素子４４は、アンテナ素子４４の第１の端部４１における第１のアンテナ端子４７から、アンテナ素子４４の第２の端部４２における第２のアンテナ端子４８まで延びている。伝送線は、第２のアンテナ端子４８を制御可能なコンポーネント４６に接続し、制御可能なコンポーネント４６はさらに接地５０に接続している。したがって、アンテナ素子４４は、制御可能なコンポーネント４６を介して接地に接続されている。
【００７２】
図４ｂでは、図３のアンテナ構造に対応するアンテナ構造が示されている。アンテナ素子４４は、アンテナ素子４４の第１の端部４１における第１のアンテナ端子４７から制御可能なコンポーネント４６まで、さらにアンテナ素子４４の第２の端部４２における第２のアンテナ端子４８まで延びている。アンテナ端子４８は接地５０に接続されている。いくつかの実施形態では、アンテナ端子は有線通信ユニット（図示せず）に接続されている。
【００７３】
制御可能なコンポーネント４６は、図４ａ及び図４ｂの両方においてアンテナ素子４４と直列に接続されている。
【００７４】
図４ｃでは、本開示によるさらなるアンテナ構造が示されている。アンテナ素子４４は、第１のアンテナ端子４７から延びる第１の分岐４３と、接地５１に接続する第２の分岐４５とを有する逆Ｆアンテナの形態を有する。アンテナ素子４４はさらに、制御可能なコンポーネント４６に接続し、制御可能なコンポーネント４６はさらに接地５０に接続する。接地５０及び接地５１は、同じ接地電位等の同じ接地であってもよいことに留意すべきである。アンテナ構造は無線通信ユニット（図示せず）に接続され、したがってアンテナ端子４７において給電される。図４ｃから見てとれるように、アンテナはアンテナ部分４９に沿った中間点において給電される。このように、アンテナ素子４４は、アンテナ部分４９、第１の分岐４３及び第２の分岐４５を備える。制御可能なコンポーネント４６及び接地５０への接続は、それぞれ図４ａ又は図４ｂに示すように実現されてよい。
【００７５】
図４ｄでは、本開示によるさらなるアンテナ構造が示されている。アンテナ素子４４は、アンテナ素子４４の第１の端部４１における第１のアンテナ端子４７から制御可能なコンポーネント４６まで延びている。制御可能なコンポーネント４６及び接地５０は、図４ａ又は図４ｂのいずれかに示すように実現されてよく、したがって制御可能なコンポーネント４６はアンテナ素子４４の一部として設けられるか、又は制御可能なコンポーネント４６はアンテナ素子４４用の第２のアンテナ端子の後に設けられる。制御可能なコンポーネント４６は３つの経路５３、５４、５５を接地５０に提供する３方向スイッチ５２として図示されるスイッチ５２として実現される。第１の経路５３は、短絡回路５３を介してアンテナ素子を接地５０に接続する。第２の経路５４は、コイル５４’を介してアンテナ素子を接地５０に接続する。第３の経路５５は、キャパシタ５５’を介してアンテナ素子を接地５０に接続する。図示された制御可能なコンポーネントは例示的なものであり、スイッチを備えた制御可能なコンポーネントは、アンテナ素子から接地５０までの１つの経路や、２つ、３つ、４つ、５つ等の経路を含む複数の経路を有して実現されてもよいことが強調されるべきである。
【００７６】
図４ｄに示すように、制御可能なコンポーネントは、レジスタ、キャパシタ、インダクタ、ダイオード、トランジスタ等を含む１又は複数のコンポーネントを備えてもよい。図４ｄでは、当該コンポーネントがコイル５４’及びキャパシタ５５’によって示される。コンポーネントはそれ自体が調整可能なコンポーネントであってもよく、従って制御可能なコンポーネントの制御に寄与できるものであってもよいし、又はコンポーネントは固定値を有していてもよく、スイッチが選択される経路を制御することによって制御を実施してもよい。
【００７７】
図５は、ユーザの耳の後ろに配置され、ユーザの外耳道に接続する音声管１４を有するように構成された聴覚機器１５０を示す。聴覚機器は、アンテナ素子６４、無線通信ユニット２０、接地面６２、聴覚機器１５０の第１の面６８に沿って延びる第１のアンテナ部分６６、聴覚機器１５０の第２の面６９に沿って延びる第２のアンテナ部分６７、及び一方の面６８から他方の面６９まで延びるアンテナ部分６５を備える。アンテナ素子は、第１の端部６１で第１のアンテナ端子５７０に接続されている。アンテナ素子は、第２の端部６３で第２のアンテナ端子５８０に接続されている。聴覚機器１５０は、電源、例えば、バッテリ１１をさらに備える。
【００７８】
アンテナ６４は中間点６５１（又は中心）を有し、中間点６５１は、アンテナ部分６５に配置されるか又は中間点６５１からアンテナ部分６６、６７までの距離がλ／４よりも短くなるように配置される。アンテナ６４の中間点６５１からアンテナ部分６６、６７までの距離は図５ではＬ４と示されてよい。アンテナ６４の構造は、以下が成り立つように設計してもよい。
【００７９】
【数１】
2019134412.tif 000003
【００８０】
距離Ｌ４と波長の１／４（λ／４）との間の相対的な差の絶対値は、閾値Ｔ３未満、例えば、１０％又は２５％未満である。
【００８１】
アンテナはループを形成してもよい。少なくとも第１のアンテナ部分６７、第２のアンテナ部分６６及び第３のアンテナ部分６５を含むアンテナ素子６４は、第１の部分、第２の部分及び第３の部分がループを成すように配置されるように構成してもよい。
【００８２】
アンテナは、アンテナ素子６４の第１の端部６１において第１のアンテナ端子５７０から延びる。典型的には、第１のアンテナ端子５７０は伝送線５７１を介して無線通信ユニット２０に接続される。アンテナ素子の第２の端部６３は、第２のアンテナ端子５８０に接続され、また伝送線５８１を介して制御可能なコンポーネント５６に接続される。制御可能なコンポーネント５６はそれ自体が制御可能であってもよく、又は制御可能なコンポーネントは調整可能なコンポーネント等のコンポーネントを備えてもよく、制御可能なコンポーネントは、プロセッサから、例えば、無線通信ユニット６０のプロセッサから受信した制御信号により制御してもよい。制御可能なコンポーネント５６は接地６０に接続されている。図５から見てとれるように、アンテナ素子６４、アンテナ端子５７０、５８０及び制御可能なコンポーネント５６を備えたアンテナ構造は、アンテナ素子６４によって放射され、ユーザの一方の耳のアンテナ素子６５からユーザの反対側の耳又は外部デバイスへと伝播する電磁場の電力の大部分が、アンテナ素子６４の中間点によってもたらされるように構成される。制御可能なコンポーネントを有するアンテナ素子は、アンテナの中間点の近く、好ましくは、補聴器の一方の面から補聴器の他方の面まで延びるアンテナの部分の近く、例えば、聴覚機器１５０の第１の面６８から聴覚機器の第２の面６９まで延びるアンテナ部分６５で又はその近くで、電流が最大電流振幅を有するように寸法決めされる。第１の面６８及び第２の面６９は聴覚機器の反対側の面であってよい。第１の面６８及び第２の面６９は、平行な面、例えば、実質的に平行な面であってよい。いくつかの実施形態では、第１の面６８及び第２の面６９は、ＢＴＥ型聴覚機器６１の反対側の長手方向の面である。
【００８３】
接地６０はプリント回路基板６２であってよい。接地は、アンテナの励起時に電流を導電可能な任意の材料で形成してよい。接地はまた、電流を導くために、銅等の単一の導電経路として形成されてもよい。接地は、ゼロ電位又は相対接地電位等の接地電位であってもよい。
【００８４】
図６では、ユーザの耳の中に配置されるように構成されたさらなる聴覚機器１６０が示されている。聴覚機器１６０は、耳の内側を向く表面を有する、ユーザの耳の最も内側に配置されるように構成された第１の面７８を有する。第２の面７９は、ユーザの耳の外側に向いており、ユーザの頭部の側面と平行、例えば、実質的に平行であるように構成される。第１の面７８及び第２の面７９は聴覚機器の反対側の面であってよい。第１の面７８及び第２の面７９は、平行な面、例えば、実質的に平行な面であってよい。図６は、アンテナ素子７４、無線通信ユニット２０、接地面７２、第１のアンテナ部分７０、聴覚機器１６０の第２の面７９に沿って延びる第２のアンテナ部分７７、及び第１のアンテナ部分７０から第２のアンテナ部分７７まで、好ましくは聴覚機器１６０の第１の面７８から第２の面７９への方向に延びるアンテナ部分７５を備えた聴覚機器１６０を示す。アンテナ素子７４は、第１の端部７１で第１のアンテナ端子７７０に接続されている。アンテナ素子７４は、第２の端部７３で第２のアンテナ端子７８０に接続されている。聴覚機器１６０は、電源、例えば、バッテリ（図示せず）をさらに備えてもよい。
【００８５】
アンテナ素子７４は、アンテナ素子７５の第１の端部７１において第１のアンテナ端子７７０から延びる。典型的には、第１のアンテナ端子７７０は伝送線７７１を介して無線通信ユニット２０に接続される。アンテナ素子７４の第２の端部７３は、第２のアンテナ端子７８０に接続され、また伝送線７８１を介して制御可能なコンポーネント７６に接続される。制御可能なコンポーネント７６はそれ自体が制御可能であってもよく、制御可能なコンポーネント７６は調整可能なコンポーネントであってもよく、又は制御可能なコンポーネント７６は、コンポーネント、例えば調整可能なコンポーネント、例えばデジタル調整可能なコンポーネントを備えてもよい。制御可能なコンポーネントは、プロセッサから、例えば、無線通信ユニット２０のプロセッサから受信した制御信号により制御してもよい。制御可能なコンポーネント７６は接地８０に接続されているため、アンテナ素子７４も制御可能なコンポーネント７６を通じて接地に接続されている。図６から見てとれるように、アンテナ素子７４、アンテナ端子７７０、７８０及び制御可能なコンポーネント７６を備えたアンテナ構造は、アンテナ素子７４によって放射され、ユーザの一方の耳のアンテナ素子７４からユーザの反対側の耳又は外部デバイスへと伝播する電磁場の電力の大部分が、アンテナ素子７４の中間点によってもたらされるように構成される。制御可能なコンポーネント７６を有するアンテナ素子７４は、アンテナの中間点の近く、好ましくは、聴覚機器の一方の面から聴覚機器の他方の面まで延びるアンテナの部分の近く、例えば、聴覚機器１６０の第１の面７８から聴覚機器の第２の面７９まで延びるアンテナ部分７５で又はその近くで、電流が最大電流振幅を有するように寸法決めされる。
【００８６】
接地８０はプリント回路基板７２であってよい。接地８０は、アンテナの励起時に電流を導電可能な任意の材料で形成してよい。接地はまた、電流を導くために、銅等の単一の導電経路として形成されてもよい。接地は、ゼロ電位又は相対接地電位等の接地電位であってもよい。
【００８７】
図７は、ユーザの耳の後ろに配置され、ユーザの外耳道に接続する音声管１４を有するように構成された別の聴覚機器１７０を示す。類似の参照番号は図５に示す類似の特徴に対応する。図７では、制御可能な素子はアンテナ素子６４の第１の端部６１とアンテナ素子６４の第２の端部６３との間に設けられる。制御可能なコンポーネントは、第２の端部６３に近接して設けられている。制御可能なコンポーネントは、アンテナ素子６４の第２の部分６６に沿って設けられている。制御可能なコンポーネントは、聴覚機器の第２の面に沿って設けられている。制御可能なコンポーネントは無線通信ユニットに接続されているため、アンテナ素子の第２の端部６３は制御可能な素子５６を通じて無線通信ユニットに接続される。
【００８８】
図８では、本開示による方法８００のフローチャートが示される。アンテナ及び無線通信ユニットを有する聴覚機器では（８１０）、データ通信信号、例えば、ユーザの他方の耳に配置された聴覚機器からのデータ通信信号、例えば、リモコン、スマートフォン及びテレビのようなアクセサリデバイス等の外部デバイスからのデータ通信信号が受信される（８２０）。受信したデータ通信信号の信号品質は、ステップ８３０で決定される。信号品質は任意の公知の方法で決定されてよい。信号品質は、例えば、ビットエラー率、パケットエラー率又は受信信号強度を評価することによって決定してよい。信号品質は、プロセッサ、例えば、信号品質決定専用のプロセッサ、例えば、第１の音声信号を聴覚機器のユーザの聴力損失を補う第２の音声信号に処理する信号プロセッサ等の一部を形成するプロセッサによって決定されてよい。制御信号は、ステップ８４０において受信信号品質の評価に応じて制御可能なコンポーネントに供給される。制御信号は、決定された信号品質に応じて、また決定された信号品質に従ってプロセッサにより生成されてもよい。ステップ８５０では、制御信号に応じてアンテナ構造の特性を変更するために、制御可能なコンポーネントを制御する。したがって、制御可能なコンポーネントは、制御信号に応じてアンテナ構造の特性を変更するように構成される。制御信号の受信に応じて、制御可能な制御信号のパラメータを変更してもよく、例えば、制御可能なコンポーネントのパラメータは制御信号に応じて調整されるように構成してもよい。したがって、１又は複数のパラメータの値は、制御信号を受信したときに変更してもよい。典型的には、受信信号品質の再評価は、制御信号に応じてアンテナ構造の特性が変更されると実行される。
【００８９】
以下の項目は、本出願時における特許請求の範囲に記載の要素である。
［項目１］
聴覚機器であって、
音声の受信及び受信した前記音声の対応する第１の音声信号への変換のためのマイクロフォンと、
前記第１の音声信号を、前記聴覚機器のユーザの聴力損失を補う第２の音声信号に処理する信号プロセッサと、
前記第２の音声信号を出力音声信号に変換するために前記信号プロセッサの出力に接続されているスピーカと、
無線通信のために前記信号プロセッサに接続され、電磁場の放射及び受信のためにアンテナ構造と相互接続される無線通信ユニットと、を備え、
前記アンテナ構造は、第１の端部及び第２の端部を有するアンテナ素子を備え、
前記第１の端部は、前記アンテナ構造の給電部に接続され、
制御可能なコンポーネントが、前記アンテナ素子と直列に設けられ、
前記制御可能なコンポーネントは、前記アンテナ構造の１又は複数の特性を変更するように構成される、
聴覚機器。
［項目２］
前記制御可能なコンポーネントは、前記アンテナ素子の前記第１の端部と前記アンテナ素子の前記第２の端部との間に設けられるか、又は、前記制御可能なコンポーネントは、前記アンテナ素子の前記第２の端部と前記アンテナへの接地接続との間に設けられる、項目１に記載の聴覚機器。
［項目３］
前記アンテナ構造は、電気機械的アンテナ構造であり、
前記制御可能なコンポーネントは、前記アンテナ構造の１又は複数の電気機械的特性を変更するように構成される、項目１又は２に記載の聴覚機器。
［項目４］
前記アンテナ構造の特性が変化したときに、前記アンテナ素子に沿った電流分布及び／又は前記アンテナ構造の周波数応答が変化する、項目１〜３のいずれか一項に記載の聴覚機器。
［項目５］
前記制御可能なコンポーネントは、レジスタ、キャパシタ、インダクタ、ダイオード及びトランジスタの群から選択される１又は複数の調整可能なコンポーネントを含む、項目１〜４のいずれか一項に記載の聴覚機器。
［項目６］
前記制御可能なコンポーネントは、デジタル調整可能なキャパシタのような調整可能なキャパシタである、前記制御可能なコンポーネントは、デジタル調整可能なインダクタのような調整可能なインダクタである、及び／又は、前記制御可能なコンポーネントは、１又は複数の調整可能な又は静的なコンポーネントに接続可能な、単極双投電気スイッチのようなスイッチングデバイスを備える、項目１〜５のいずれか一項に記載の聴覚機器。
［項目７］
前記アンテナ素子は、共振アンテナ素子である、項目１〜６のいずれか一項に記載の聴覚機器。
［項目８］
前記アンテナ素子は、全波長アンテナ素子であり、
前記第１の端部は、前記給電部に接続され、
前記第２の端部は、前記制御可能なコンポーネントを介して接地電位に接続される、項目１〜７のいずれか一項に記載の聴覚機器。
［項目９］
前記制御可能なコンポーネントは、前記第２の端部に近接して設けられる、項目１〜８のいずれか一項に記載の聴覚機器。
［項目１０］
前記アンテナ素子は、前記聴覚機器の第１の面及び前記聴覚機器の第２の面に設けられ、
前記聴覚機器の前記第１の面は、前記聴覚機器がユーザの耳の動作位置に装着されたときに前記ユーザの頭部表面に隣接し、
前記聴覚機器の前記第２の面は、前記第１の面の反対側にあり、
前記アンテナ素子の少なくとも一部は、前記聴覚機器の前記第１の面から前記聴覚機器の前記第２の面まで延びる、項目１〜９のいずれか一項に記載の聴覚機器。
［項目１１］
前記アンテナ素子は、使用中に、前記第１の面から前記第２の面まで延びる前記アンテナ素子の部分に最大電流が流れるように構成される、項目１０に記載の聴覚機器。
［項目１２］
前記聴覚機器は、受信信号品質を評価し、前記受信信号品質の前記評価に応じて前記制御可能なコンポーネントに制御信号を供給するプロセッサを備える、項目１〜１１のいずれか一項に記載の聴覚機器。
［項目１３］
前記制御可能なコンポーネントは、前記制御信号に応じて調整されるように構成され、及び／又は、前記制御可能なコンポーネントのパラメータは、前記制御信号に応じて調整されるように構成される、項目１２に記載の聴覚機器。
［項目１４］
前記聴覚機器は、その意図された動作位置に設けられたときに前記ユーザの耳の後ろに配置されるように構成された少なくとも１つのＢＴＥ（Ｂｅｈｉｎｄ−Ｔｈｅ−Ｅａｒ）型モジュールを含み、
前記ＢＴＥ型モジュールは、少なくとも前記信号プロセッサと前記アンテナ素子とを備える、項目１〜１３のいずれか一項に記載の聴覚機器。
［項目１５］
前記聴覚機器は、その意図された動作位置に設けられたときに前記ユーザの耳の中に配置されるように構成された少なくとも１つのＩＴＥ（Ｉｎ−Ｔｈｅ−Ｅａｒ）型モジュールを含み、
前記ＩＴＥ型モジュールは、少なくとも前記信号プロセッサと前記アンテナ素子とを備える、項目１〜１３のいずれか一項に記載の聴覚機器。
［項目１６］
聴覚機器を動作させる方法であって、
前記聴覚機器は、
音声の受信及び受信した前記音声の対応する第１の音声信号への変換のためのマイクロフォンと、
前記第１の音声信号を、前記聴覚機器のユーザの聴力損失を補う第２の音声信号に処理する信号プロセッサと、
前記第２の音声信号を出力音声信号に変換するために前記信号プロセッサの出力に接続されているスピーカと、
無線データ通信のために前記信号プロセッサに接続され、電磁場の放射及び受信のためにアンテナ構造と相互接続される無線通信ユニットと、を備え、
前記アンテナ構造は、第１の端部及び第２の端部を有するアンテナ素子を備え、
前記第１の端部は、前記アンテナ構造の給電部に接続され、
制御可能なコンポーネントが、前記アンテナ素子と直列に設けられており、
前記方法は、
−  データ通信信号を受信することと、
−  受信した前記データ通信信号の信号品質を決定し、決定された前記信号品質に応じて前記制御可能なコンポーネントに制御信号を供給することと、
−  前記制御信号に応じて前記アンテナ構造の特性を変更するために、前記制御可能なコンポーネントを制御することと、
を含む方法。
【図１】
2019134412.tif 000004
【図２】
2019134412.tif 000005
【図３】
2019134412.tif 000006
【図４ａ】
2019134412.tif 000007
【図４ｂ】
2019134412.tif 000008
【図４ｃ】
2019134412.tif 000009
【図４ｄ】
2019134412.tif 000010
【図５】
2019134412.tif 000011
【図６】
2019134412.tif 000012
【図７】
2019134412.tif 000013
【図８】
2019134412.tif 000014
【手続補正書】
【提出日】令和1年5月10日(2019.5.10)
【手続補正１】
【補正対象書類名】明細書
【補正対象項目名】００６０
【補正方法】変更
【補正の内容】
【００６０】
【図１】本開示による例示的な聴覚機器のブロック図を示す。
【図２】本開示によるアンテナを備えた聴覚機器を概略的に示す。
【図３】本開示によるアンテナを備えた聴覚機器を概略的に示す。
【図４ａ】本開示によるアンテナ構造を概略的に示す。
【図４ｂ】本開示によるアンテナ構造を概略的に示す。
【図４ｃ】本開示によるアンテナ構造を概略的に示す。
【図４ｄ】本開示によるアンテナ構造を概略的に示す。
【図５】本開示の一実施形態による、アンテナ構造を備えたＢＴＥ型聴覚機器を示す。
【図６】本開示の別の実施形態による、アンテナ構造を備えたＩＴＥ型聴覚機器を示す。
【図７】本開示の別の実施形態による、アンテナ構造を備えたＢＴＥ型聴覚機器を示す。
【図８】本開示による制御可能な素子を制御する方法を示すフローチャートである。
【外国語明細書】
2019134412000001.pdf
2019134412000002.pdf
2019134412000003.pdf
2019134412000004.pdf